(57)【特許請求の範囲】
【請求項１】
電気機器を載置部に着脱自在に保持するクレードルにおいて、
コード押さえ板と、
支点押さえ板と、
を有し、
前記コード押さえ板及び前記支点押さえ板は、前記クレードルの底面と該底面の周囲に形成された縁部とで形成される底部空間内に配置され、
前記コード押さえ板は、コード押さえ部と、中間板部と、被保持部とから成り、前記中間板部に１以上の支点を有し、
前記支点押さえ板は、前記コード押さえ板の前記被保持部を前記載置部の底部裏面に押さえて保持するとともに前記１以上の支点を押えた状態で前記底面に固定され、
前記コード押さえ板の前記コード押さえ部は、前記底面から離れる引き起こし方向に外力が加わったとき前記１以上の支点を基点として前記外力に従って撓む弾力性を有する、
ことを特徴とするクレードル。
【請求項２】
前記コード押さえ部は、コード引き込み口から前記底部空間に引き込まれてコード引き出し口から引き出されるコードを前記底面に押さえ込み、該底面に押さえ込んだ前記コードを介して前記引き起こし方向の外力が加わったとき前記コードを押さえ込みから開放する、
ことを特徴とする請求項１記載のクレードル。
【請求項３】
前記コード押さえ部は、前記コード引き込み口、又は前記コード引き出し口に近い方の角部に前記底面から離れる方向への反り返りが形成されている、ことを特徴とする請求項２記載のクレードル。
【請求項４】
前記底面は、複数のゴム足を備え、前記コード押さえ部は、前記ゴム足の周囲を回り込むよう形成されている、
ことを特徴とする請求項２記載のクレードル。
【請求項５】
前記コード押さえ部は、前記底面に対面する外周部に沿って形成されたリブを有する、
ことを特徴とする請求項２、３又は４記載のクレードル。
【請求項６】
前記コードは電源コード、又は信号コードである、
ことを特徴とする請求項１又は２記載のクレードル。
【発明の詳細な説明】
【技術分野】
【０００１】
本発明は、電気機器を載置するクレードルに関する。
【背景技術】
【０００２】
従来、薄型表示装置等の電気機器を背面から保持するスタンドにおいて、断面が略Ｃ字形状でＣ字形状の開口部を外側にしてスタンドの背面の上下方向に取り付けられたクランパーを備え、このクランパーにより表示装置本体に接続されるケーブルの長さの余剰な部分を収容するとともにケーブルをスタンドの背面で確実に保持するようにしたスタンドが提案されている。（例えば、特許文献１参照。）
また、ケーブル部材を支持台の下に挟んでしまったり、ディスプレイ部の左右方向の角度調整の際に、ケーブル部材によって周囲のものを転倒させたり、落下させたりしないようにするために、支持台に対して左右方向に角度調整可能なスタンド支柱と、このスタンド支柱に形成されたクランプとを備え、このクランプにケーブルを係止させるようにした支持台が提案されている。（例えば、特許文献２参照。）
【先行技術文献】
【特許文献】
【０００３】
【特許文献１】特開２００５−１９６００９号公報
【特許文献２】特開平０８−２６１３９２号公報
【発明の概要】
【発明が解決しようとする課題】
【０００４】
ところで、上記のスタンドや支持台と同様に、載置された電気機器を保持するクレードル等も、例えば銀行の窓口などでは多用されている。このようなスタンド、支持台、クレードル等において、電気機器に接続する電源コード等は、電気機器を保持するスタンド、支持台、クレードル側で固定して保持するようにしたものが多い。
【０００５】
しかしながら、一般に、テレビジョンのように頻繁に向きの調整や場所の移動を行わない電気機器の場合は、電源コード等をスタンドや支持台で固定して保持するのもよいが、顧客窓口で使用する小型表示装置等の電気機器を保持するクレードル等では、頻繁に向きを変えたり場所の移動を行うので、ややもするとケーブルが他の機器に絡んだりして強く引かれる場合がある。
【０００６】
そのようなとき、クランパーのケーブル保持力が強固であると、ケーブルを破損するかあるいはケーブル端部のコネクタを破損する不具合が発生する恐れが多分にある。また、ケーブル側が丈夫であると、クランパーが破損する不具合が発生する。
【０００７】
ところが、特許文献１又は２において、ケーブルが他の機器に絡んだりして強く引かれた場合に生じる可能性が高い上述したような不具合については何ら考慮されていない。
また、特許文献１ではケーブルの電気機器への接続態様は、図示されていないため明確でないが、ケーブル部材を支持台の下に挟んでしまう不具合を回避することは何処にも記載が見当たらない。
【０００８】
特許文献２では、ケーブル部材を支持台の下に挟んでしまう不具合を回避することを課題としているが、ケーブルを保持する態様は、ケーブルの一部分を単にクランプに保持させているだけで、ケーブルはスタンド支柱の背面で全て露出したままになっている。窓口業務に使用されるクレードル等では背面でケーブルが全て露出しているのでは外見上好ましくない。
【０００９】
本発明は、上記従来の課題を解決するものであって、電気機器に接続するケーブルを目立たぬように保持し且つケーブルを支持台の下に挟んでしまう不具合を回避するとともに、保持するケーブルに強い引き外力が加わったとき容易に保持力を開放するクレードルを提供することを目的とする。
【課題を解決するための手段】
【００１０】
上記課題を解決するために、本発明のクレードルは、電気機器を載置部に着脱自在に保持するクレードルにおいて、コード押さえ板と、支点押さえ板と、を有し、上記コード押さえ板及び上記支点押さえ板は、上記クレードルの底面と該底面の周囲に形成された縁部とで形成される底部空間内に配置され、上記コード押さえ板は、コード押さえ部と、中間板部と、被保持部とから成り、上記中間板部に複数の支点を有し、上記支点押さえ板は、上記コード押さえ板の上記被保持部を上記載置部の底部裏面に押さえて保持するとともに上記複数の支点を押えた状態で上記底面に固定され、上記コード押さえ板の上記コード押さえ部は、上記底面から離れる引き起こし方向に外力が加わったとき上記複数の支点を基点として上記外力に従って撓む弾力性を有する、ように構成される。
【００１１】
上記コード押さえ部は、例えば、コード引き込み口から上記底部空間に引き込まれてコード引き出し口から引き出されるコードを上記底面に押さえ込み、該底面に押さえ込んだ上記コードを介して上記引き起こし方向の外力が加わったとき上記コードを押さえ込みから開放する、ように構成され、また、例えば、上記コード引き込み口及び／又は上記コード引き出し口に近い方の角部に上記底面から離れる方向への反り返りが形成されている、ように構成される。
【００１２】
このクレードルにおいて、例えば、上記底面は、複数のゴム足を備えるように構成され、この場合、上記コード押さえ部は、例えば、上記ゴム足の周囲を回り込むように構成される。
【００１３】
また、上記コード押さえ部は、例えば、上記底面に対面する外周部に沿って形成されたリブを有する、ように構成される。また、上記コードは、電源コード及び／又は信号コードである。
【発明の効果】
【００１４】
本発明は、電源コードや信号コードをクレードルの底面とその縁部とで形成される底部空間内に引き込んでコード押え板で押さえて保持するので、コードを目立たぬように保持できるとともに、コードをクレードルの下に挟んでしまう不具合を回避することができるという効果を奏する。
【００１５】
また、コード押さえ板のコード押さえ部は、引き起こし方向に外力が加わったとき複数の支点を基点として外力に従って撓む弾力性を有するので、保持部のコードに強い引き外力が加わったとき容易に保持力を開放することができ、これにより、保持部のコードに強い引き外力が加わってもコード押さえ板を破損することもコードを破損することもないという効果を奏する。
【図面の簡単な説明】
【００１６】
【図１】(a)は本発明の実施例１に係るクレードルをそれが保持するコードと共に背面側から見た斜視図、(b)はその底面をやや前方側から見た斜視図である。
【図２】実施例１に係るクレードルの分解斜視図である。
【図３】(a)は図１(a)のＡ−Ａ´断面矢視図でケーブル保持状態を示す図、(b)はケーブル保持力を開放した状態を示す図である。
【発明を実施するための形態】
【００１７】
以下、本発明の実施の形態について、図面を参照しながら詳細に説明する。
【実施例１】
【００１８】
図１(a)は本発明の実施例１に係るクレードルをそれが保持するコードと共に背面側から見た斜視図であり、図１(b)はその底面をやや前方側から見た斜視図である。
図２は、上記クレードルの分解斜視図である。
【００１９】
図３(a)は図１(a)のＡ−Ａ´断面矢視図でケーブル保持状態を示す図であり、図３(b)はケーブル保持力を開放した状態を示す図である。先ず、図１(a),(b)及び図２に示すように、本例のクレードル１は、例えば液晶表示装置等の不図示の電気機器を載置部２に着脱自在に保持するクレードルである。
【００２０】
載置部２は後部支持部３と、この後部支持部３よりも高さの低い前部支持部４と、後部支持部３の下部と前部支持部４の下部とに連接する載置部底部５とで前後下方の三方を囲まれる空間部で形成されている。
【００２１】
このクレードル１は、クレードル底面６の周囲に下向きの縁部７が形成されている。この縁部７とクレードル底面６とで形成される底部空間内に、コード８を押えるためのコード押さえ板９と、支点押さえ板１０が配設されている。また、クレードル底面６の四方にはそれぞれゴム足１１が取り付けられている。
【００２２】
また、縁部７には、底部の後方中央に形成されているコード引き込み孔１２にコード８を導入するための引き込み口１３が形成されている。そして底部長手方向の後方両端部には、底部空間内に引き込まれたコード８を引き出すコード引き出し孔１４がそれぞれ形成されている。
【００２３】
上記のコード押さえ板９は、図２に示すように、最初にクレードル底面６に形成されている大穴６ａにはめ込まれる。図２では、クレードル底面６の大穴６ａの奥に、後部支持部３の載置部側内部面３ａや、前部支持部４（図１(a)参照）の前面側内部面４ａや、載置部底部５（図１(a)参照）の内部面５ａが見えている。
【００２４】
この大穴６ａを塞ぐようにコード押さえ板９が大穴６ａにはめ込まれる。コード押さえ板９は、コード押さえ部１５、コード押さえ部１５とコード押さえ部１５の反対側端部に形成された被保持部１６、被保持部１６とコード押さえ部１５との間にあって被保持部１６とコード押さえ部１５と一体に形成された中間板部１７、及び中間板部１７に形成された複数（図２では３個）の支点１８とで構成されている。
【００２５】
コード押さえ板９は、図３(a)に示すように、被保持部１６を載置部底部５の内部面５ａに当接させ、中間板部１７を、後部支持部３の載置部側内部面３ａと外側内部面３ｂとの間に嵌り込ませている。
【００２６】
支点押さえ板１０は、コード押さえ板９の被保持部１６を載置部底部５の内部面５ａに下から押さえ付け、コード押さえ板９の３個の支点１８の下端面を下から押さえ付けて、コード押さえ板９をクレードル底面６に位置決めしている。
【００２７】
この状態で支点押さえ板１０は、図２に示すように、４箇所に形成されているネジ通し孔１９を介し、４個のネジ釘２１により、クレードル底面６の大穴６ａの周囲に沿って設けられているネジ孔２２に、図１(b)に示すように固定されている。
【００２８】
図１(a)に示すように、引き込み口１３及びコード引き込み孔１２を通してクレードル１の底部空間内に導入され、コード引き出し孔１４から引き出されるコード８（８ａ、８ｃ）は、図１(b)に示すように、底部空間内のコード８ｂの部分がコード押さえ板９のコード押さえ部１５によってクレードル底面６に押さえ込まれている。
【００２９】
コード押さえ部１５は、ゴム足１１の周囲を回り込むように形成されている。また、コード押さえ部１５は、図１(b)及び図２では定かに見えないが、図３(a),(b)に示すように、クレードル底面６に対面する外周部に沿ってリブ２３を形成されている。
【００３０】
これにより、図１(b)及び図３(a)に示すようにコード押さえ部１５によってクレードル底面６に押さえ込まれたコード８ｂは、容易にはクレードル底面６とコード押さえ部１５との間から抜け出すことはなく、したがって、ゴム足１１と窓口テーブル面との間や、縁部７と窓口テーブル面との間に挟まるようなことはない。
【００３１】
一方、コード押さえ部１５のコード引き込み口１２（コード引き込み孔１３）に近い方の角部には、図１(b)及び図２に示すように、クレードル底面６から離れる方向へ反り返っている反り返り部２４が形成されている。尚、この反り返り部２４は、図１(b)に示すコード引き出し口１４に近い方の角部２５にも形成するのが好ましい。
【００３２】
これにより、コード引き込み口１２又はコード引き出し口１４のいずれの方からコード８をクレードル底面６に導入した場合でも、コード８ｂの部分を反り返り部２４からコード押さえ部１５とクレードル底面６との間に容易にもぐり込ませることができる。
【００３３】
尚、底部空間内に導入されるコード８（８ａ、８ｂ、８ｃ）は、電源コードの場合であれば、コード引き込み孔１２に挿通される電源コード８ａを電源プラグ側の電源コードとし、コード引き出し孔１４から引き出される電源コード８ｃを電気機器に接続するコネクタ側の電源コードとしてもよく、又はクレードル使用者の好みによって上記とは逆の挿通のし方であってもよい。
【００３４】
また、特には図示しないが、コード８は電源コードのみとは限らず、親機から電気機器に接続する信号コードを電源コードと共に底部空間内に引き込む場合もある。もちろん、電源コードのみの場合もあれば（例えば充電時やクレードルに載置したまま電気機器単体で使用される場合）、信号線のみの場合もある（電気機器の充電が十分であり、親機との通信を行う場合）。
【００３５】
いずれの場合も、電源コンセント又は親機から来ているコードを、コード引き込み孔１２に挿通する形で底部空間内に通すか、コード引き出し孔１４から引き出す形で底部空間内に通すかは、クレードル使用者の裁量に任される事柄である。
【００３６】
このように、本例のクレードルによれば、電源コードや信号コードをクレードルの底面とその縁部とで形成される底部空間内に引き込んでコード押え板で押さえて保持するので、コードを目立たぬように保持することができる。
【００３７】
尚、クレードル１のコード引き出し孔１４は、クレードル１の底部の長手方向両端部に形成されているので、コード引き出し孔１４に電源コンセント側又は親機から来ているコードを通すと、クレードル１の向きを変えたり位置を移動しても、窓口テーブル面に這わせてあるコード８は、コード引き出し孔１４の移動に追随して大回りしながら移動する。
【００３８】
したがって、クレードル１を置き直した後も、窓口テーブル面に這わせてあるコード８が、クレードル１の底部の縁部７又はゴム足１１と窓口テーブル面の間に挟まったりすることはない。
【００３９】
ここで、コード押さえ板９のコード押さえ部１５について更に説明する。コード押さえ部１５は、引き起こし方向、すなわちクレードル底面６から離れる方向に外力が加わったとき、３個の支点１８を基点として上記の外力に従って撓む弾力性を備えている。
【００４０】
これにより、コード押さえ部１５は、クレードル底面６に押さえ込んだコード８ｂの部分に、例えば、図１(a),(b)に示すコード８ａ又は８ｃの方から強く引く力が外部から加えられ、結果として、図３(b)に示すように、コード押さえ部１５に対しコード８ｂを介して引き起こし方向の外力が加わったとき、コード押さえ部１５は外力が加わった方向に撓んで、コード８ｂを押さえ込みから開放する。
【００４１】
したがって、クレードルに保持されているコードに強い引き外力が加わってもコード押さえ板を破損することもコードを破損することもない。
尚、本実施例では、コード押さえ部１５は、３個の支点１８を備えているが、これに限るものではなく、１つ以上あればよい。
【産業上の利用可能性】
【００４２】
本発明は、電気機器を載置するクレードルに利用することができる。
【符号の説明】
【００４３】
１  クレードル
２  載置部
３  後部支持部
３ａ  載置部側内部面
３ｂ  外側内部面
４  前部支持部
４ａ  前面側内部面
５  載置部底部
５ａ  内部面
６  クレードル底面
６ａ  大穴
７  縁部
８（８ａ、８ｂ、８ｃ）  コード
９  コード押さえ板
１０  支点押さえ板
１１  ゴム足
１２  コード引き込み孔
１３  引き込み口
１４  コード引き出し孔
１５  コード押さえ部
１６  被保持部
１７  中間板部
１８  支点
１９  ネジ通し孔
２１  ネジ釘
２２  ネジ孔
２３  リブ
２４  反り返り部
２５  コード引き出し口に近い方の角部
【図１】
0005525490.tif 000002
【図２】
0005525490.tif 000003
【図３】
0005525490.tif 000004